(57)【要約】【課題】大きな音を伴い、高く飛び出し、安全な飛び出し玩具。【解決手段】装置本体１と風船２とから構成され、装置本体１には筒体３をその軸心のまわりに回転可能に設け、筒体３の内部には栓６を常時上方にバネ付勢し、筒体３の外側には係合体１０を設け、係合体１０には筒体３内部に出没可能な係合片１２を形成し、常時は係合片１２が筒体３内に突出するように付勢しておき、風船２の筒部２４を筒体３に挿入して栓６に当接した状態でバネに抗して押し下げることにより、係合片１２を筒部２４に係合させ、複数のスイッチ手段５のうちいずれかのスイッチ手段５により係合体１０を押圧したときに、係合片１２を筒体３から退避させることで筒部２４と係合片１２との係合を解除させる。【選択図】図２
0003110148.tif 000002
【実用新案登録請求の範囲】
【請求項１】
多数のスイッチ手段を備えた装置本体と、吹き込み口に筒部を備えた風船とから構成され、装置本体には、風船の筒部を挿入可能な筒体をその軸心のまわりに回転可能に設け、筒体の内部には上記筒部の先端に当接可能に設けた栓を常時上方にバネ付勢し、筒体の外側には係合体を設け、係合体には上記筒体の側面の一部に形成した開口部から筒体内部に出没可能な係合片を形成し、常時は上記係合片が筒体内に突出するように付勢しておき、上記風船の筒部を筒体に挿入して上記栓に当接した状態でバネに抗して押し下げることにより、上記係合片を筒部に係合させ、複数のスイッチ手段のうち上記係合片に対応するスイッチ手段により上記係合体を押圧したときに、上記係合片を筒体から退避させることで上記筒部と係合片との係合を解除させることを特徴とする飛び出し玩具。
【請求項２】
上記風船の筒部の上部外側に係合部を突出形成し、上記装置本体の筒体の上部には、上記係合部に係合可能な受け部を形成した請求項１に記載の飛び出し玩具。
【請求項３】
上記複数のスイッチ手段を上記筒体を中心とする装置本体の上面の円周上に配置し、
上記係合体を上下方向に揺動可能に設け、揺動により上記係合片を前記開口部から出没作動させるとともに、上記揺動部から外方に突出する作動片を一体に形成し、上記スイッチ手段のうちいずれか１つのスイッチ手段が上記作動片の下部に対応するように配置し、上記１つのスイッチ手段を介して上記作動片を押圧することにより上記係合体を揺動させて上記係合片を筒体から退避させることを特徴とする、請求項１又は２に記載の飛び出し玩具。
【請求項４】
上記装置本体を円筒状とし、上記複数のスイッチ手段を装置本体の側面に設け、上記作動片に対応するスイッチ手段の先端を上記作動片に係合させることにより上記係合体を揺動させることを特徴とする、請求項１、２又は３に記載の飛び出し玩具。
【考案の詳細な説明】
【技術分野】
【０００１】
本考案は、複数のスイッチ手段のうちどれか1つのスイッチ手段を押すと風船が飛び出す玩具に関するものである。
【背景技術】
【０００２】
装置本体に複数のボタンやナイフを模したスイッチ手段を設けておき、複数の遊び手のうちの誰かが特定のスイッチ手段を作動させたときに装置本体から何らかの物体が飛び出すという飛び出し玩具は従来から知られている。
【特許文献１】実公平７−２５９９７号公報
【考案の開示】
【考案が解決しようとする課題】
【０００３】
ところで、物体はバネ力によって飛び出す構造であり、玩具の性質上強いバネによって強く飛び出すようにする方がインパクトがあり、驚きや面白さも大きい。しかしながら、飛び出す物体は合成樹脂から構成されているとはいえ、硬いものであり、強いバネを使って飛び出すようにして飛び出したときに、特に遊び手が小さな子供であるようなときは、よけきれずに物体に当ったり、必要以上に体を動かして家具などに当ったりして怪我をする可能性がある。
【０００４】
本考案は上記問題点を解消し、バネ力を利用しなくても、大きな音を伴い、高く飛び出し、しかも安全な飛び出し玩具を提供することにある。
【課題を解決するための手段】
【０００５】
前記課題を解決するため、請求項１に係る考案は、多数のスイッチ手段を備えた装置本体と、吹き込み口に筒部を備えた風船とから構成され、装置本体には、風船の筒部を挿入可能な筒体をその軸心のまわりに回転可能に設け、筒体の内部には上記筒部の先端に当接可能に設けた栓を常時上方にバネ付勢し、筒体の外側には係合体を設け、係合体には上記筒体の側面の一部に形成した開口部から筒体内部に出没可能な係合片を形成し、常時は上記係合片が筒体内に突出するように付勢しておき、上記風船の筒部を筒体に挿入して上記栓に当接した状態でバネに抗して押し下げることにより、上記係合片を筒部に係合させ、複数のスイッチ手段のうち上記係合片に対応するスイッチ手段により上記係合体を押圧したときに、上記係合片を筒体から退避させることで上記筒部と係合片との係合を解除させることを特徴とする。
【０００６】
請求項２に係る考案は、上記風船の筒部の上部外側に係合部を突出形成し、上記装置本体の筒体の上部には、上記係合部に係合可能な受け部を形成することを特徴とする。
【０００７】
請求項３に係る考案は、上記複数のスイッチ手段を上記筒体を中心とする装置本体の上面の円周上に配置し、上記係合体を上下方向に揺動可能に設け、揺動により上記係合片を前記開口部から出没作動させるとともに、上記揺動部から外方に突出する作動片を一体に形成し、上記スイッチ手段のうちいずれか１つのスイッチ手段が上記作動片の下部に対応するように配置し、上記１つのスイッチ手段を介して上記作動片を押圧することにより上記係合体を揺動させて上記係合片を筒体から退避させることを特徴とする。
【０００８】
請求項４に係る考案は、上記装置本体を円筒状とし、上記複数のスイッチ手段を装置本体の側面に設け、上記作動片に対応するスイッチ手段の先端を上記作動片に係合させることにより上記係合体を揺動させることを特徴とする。
【考案の効果】
【０００９】
請求項１に係る考案によれば、風船を膨らませ、その筒部を筒体に挿入して栓に当接した状態でバネに抗して押し下げることにより、上記係合片を筒部に係合させ、複数のスイッチ手段のうちいずれかのスイッチ手段により上記係合体を押圧したときに、上記係合片を筒体から退避させる構成であるから、係合片が退避すると、風船が栓を付勢するバネのバネ力と内部の空気圧とによって空中に飛び出す。したがって、偶然に係合体に対応するスイッチ手段を押してしまった遊び手が勝ち負けを決するというゲームを提供することができる。
【００１０】
また、風船はバネ力を利用しなくても、大きな音を伴い、高く飛び出すので、十分なインパクトがあり、驚きを伴った面白いゲームを提供することができる。しかも、風船はゴムでできているから安全であり、子供が遊んでも怪我をすることはない。
【００１１】
請求項２に係る考案によれば、風船の筒部の上部外側に係合部を突出形成し、上記装置本体の筒体の上部には、上記係合部に係合可能な受け部を形成したので、風船の筒部と筒体の受け部とを係合させた状態で風船とともに筒体を回転させることができる。係合体は筒体に設けられているから、筒体が回転すると係合体も筒体のまわりを回転することになり、係合体の位置を変更させることができる。したがって、係合体の位置の変更を容易に行なうことができる。
【００１２】
請求項３に係る考案によれば、係合体を作動させる手段として作動片を一体に形成し、スイッチ手段を介して作動片を押圧することで係合体を揺動させることができるので、係合体を確実に作動させることができる。
【００１３】
請求項４に係る考案によれば、スイッチ手段が円筒状の装置本体の外周面に設けられるので、係合体とスイッチ手段との位置関係がよりわかりにくくなる。
【考案を実施するための最良の形態】
【００１４】
図１において符号１は装置本体、２は風船を示す。
【００１５】
装置本体１は倒立した椀形で、図２に示されるように、中央には筒体３がその軸心のまわりに回転可能に設けられているとともに、上記筒体３を中心とする装置本体１の上面の円周上には複数の穴４が等間隔に形成され、各穴４にはボタン形状のスイッチ手段５が上下動可能に配置されている。各スイッチ手段５の下端は装置本体１の内部に入り込んでいる。
【００１６】
筒体３の内部には球状の栓６が配置され、栓６はバネ７により常時上方に付勢され、ストッパ８で保持されている。筒体３の外側には支軸９が設けられ、該支軸９には係合体１０が上下方向に揺動可能に設けられている。係合体１０には、上記筒体３の側面の一部に形成した開口部１１から筒体３内部に出没可能な係合片１２と上記揺動部から外方に突出する作動片１３とが一体に形成されている。係合体１０は、上記支軸９を中心に揺動することにより上記係合片１２が前記開口部１１から出没作動するように構成され、常時は上記係合片１２が筒体３内に突出するようにバネ１４（図６参照）で付勢されている。
【００１７】
また、上記筒体３の上部にはその軸心の周囲に、筒体３の外径よりも大きな凹部１５が形成され、図３（ａ）に示されるように、凹部１５の内面には角形の凹凸が円形状に連続する受け部１６が形成されている。
【００１８】
さらに、図４に示されるように、上記凹部１５の外側にはスイッチ手段５と同数の合成樹脂製バネ片１７が放射状に設けられ、各バネ片１７の先端は上記各スイッチ手段５の下端を支持し、スイッチ手段５を上方に付勢している。
【００１９】
次に、風船２は風船本体２０と風船本体２０の口部２１を保持する保持体２２と、籠を模した箱体２３と、吹き込み口１８を有する筒部２４とを結合したものである。保持体２２の周縁部には風船本体２０の口部２１を収納する溝２５が形成され、その下部には第１の筒部２６が形成されている。また、箱体の下部には第１の筒部２６と同じ大きさの第２の筒部２７が形成され、第２の筒部２７の外周には、図３（ｂ）に示されるように、４個の凸状係合部２８が等間隔に形成されている。さらに、筒部２４の上部は上記第１の筒部２６と第２の筒部２７の長さを加えたものと同じ長さに形成され、その下部の外周には環状凹部２９が形成されている。そして、上記筒部２４を下から第２の筒部２７に嵌合し、さらにその上に第１の筒部２６を嵌合して３個の部材を一体的に結合している。風船本体２０を膨らませるときは筒部２４の先端吹き込み口１８から空気を吹き込めばよい。
【００２０】
次に、上記飛び出し玩具の使用態様について説明する。ゲームの準備段階として、まず、風船２を膨らませ、図２のように筒部２４の先端を装置本体１の筒体３に挿入して吹き込み口１８を栓６に当接させ、さらにバネ７の力に抗して押し込む。バネ７が縮み、係合体１０の係合片１２が筒部２４の環状凹部２９に係合し、この状態で保持される。このとき、風船２の凸状係合部２８は装置本体１の受け部１６に係合する。そこで、風船２の箱体２３を手で回すと、箱体２３とともに筒体３もその軸心の回りに回転する。筒体３の回転に伴って係合体１０も上記筒体３のまわりを回転する。このため、装置本体１の外部からは係合体１０の位置を知ることはできない。したがって、作動片１３がどのスイッチ手段５の下方に対応して配置されたかを知ることはできない。
【００２１】
上述のようにして準備が完了したら、複数の遊び手が順次にスイッチ手段５を選択して押せばよい。選択したスイッチ手段５の下方に係合体１０の作動片１３が対応配置されていないと、空押しとなり、何も起こらない。これに対し、図６に示されるように、選択したスイッチ手段５の下方に係合体１０の作動片１３が対応配置されていると、スイッチ手段５とともにその下の作動片１３が押されるから、係合体１０がバネ１４に抗して揺動し、係合片１２が筒体３から退避し、風船２の筒部２４と係合片１２との係合が解除する。係合解除によりバネ７の弾発力により風船２の筒部２４が上方に弾き出され、同時に筒部２４が栓６から離れるので、風船２は図７に示されるように弾発力と空気圧とにより空気の噴出し音を発しながら空中に高く飛び出す。
【００２２】
１つのゲームが終わったら、再び風船本体２０に空気を吹き込み、装置本体１の筒体３にセットして回すことでスイッチ手段５と作動片１３との対応関係を変更することにより次のゲームの準備が完了する。
【００２３】
上述のように、風船２はバネ力を利用しなくても、大きな音を伴い、高く飛び出すので、十分なインパクトがあり、驚きを伴った面白いゲームを提供することができる。しかも、風船２はゴムでできているから安全であり、子供が遊んでも怪我をすることはない。
【００２４】
なお、作動片１３は１個のスイッチ手段５の下方に対応して配置されるとは限らない。２個のスイッチ手段５の下方に配置されることもある。この場合は、いずれのスイッチ手段５を押しても風船２は飛び出すことになる。
【００２５】
また、スイッチ手段はボタン状に形成されている必要はない。たとえば、装置本体１の穴４に図示しない適宜意匠の棒状体を押し込んで係合体１０を作動させる構成であってもよい。
【００２６】
さらに、図示しないが、装置本体を円筒状とし、上記複数の穴とスイッチ手段を装置本体の側面に設け、スイッチ手段の先端を上記作動片に係合させることにより上記係合体を揺動させるように構成してもよい。この構成によれば、係合体とスイッチ手段との位置関係がよりわかりにくくなる。
【図面の簡単な説明】
【００２７】
【図１】本考案に係る飛び出し玩具の斜視図である。
【図２】上記飛び出し玩具の要部の断面図である。
【図３】（ａ）（ｂ）はそれぞれ装置本体の平面図および箱体の底面で図である。
【図４】装置本体の内部の要部平面図である。
【図５】風船の分解図である。
【図６】上記飛び出し玩具の飛び出し状態を示す要部の断面図である。
【図７】上記飛び出し玩具の飛び出し状態を示す斜視図である。
【符号の説明】
【００２８】
１    装置本体
２    風船
３    筒体
５    スイッチ手段
１０    係合体
１２    係合片
２４    筒部
【図１】
0003110148.tif 000003
【図２】
0003110148.tif 000004
【図３】
0003110148.tif 000005
【図４】
0003110148.tif 000006
【図５】
0003110148.tif 000007
【図６】
0003110148.tif 000008
【図７】
0003110148.tif 000009